(57)【要約】      （修正有）【課題】表示画像の表示位置や選択可能な設定値を変更しつつ表示させる際の操作性を向上させる。【解決手段】タッチセンサ２７の接触面２７ａに対して指先５０を接触させて行う接触操作が可能に構成され、部分波形Ｗ２およびカーソルラインＬの表示位置を表示部１３の時間軸に沿って予め決められた変更速度で変更しつつ表示部１３に表示させる第１表示処理、および選択可能な設定値を予め決められた変更速度で変更しつつ表示部１３に表示させる第２表示処理を接触操作に従って実行する表示制御部とを備え、タッチセンサ２７は接触面２７ａに対する指先５０の押圧力を検出可能に構成され、表示制御部は、タッチセンサ２７によって検出された押圧力の強弱に応じて第１表示処理および第２表示処理における変更速度を増減させる。【選択図】図７
2013024835.tif 000002
【特許請求の範囲】
【請求項１】
接触面に対して接触体を接触させて行う接触操作が可能な操作部と、表示画像の表示位置を表示部の時間軸に沿って予め決められた変更速度で変更しつつ当該表示部に表示させる第１表示処理、および選択可能な設定値を予め決められた変更速度で変更しつつ前記表示部に表示させる第２表示処理の少なくとも一方の表示処理を前記接触操作に従って実行する表示制御部とを備えた測定装置であって、
前記接触操作における前記接触面に対する前記接触体の押圧力を検出する検出部を備え、
前記表示制御部は、前記検出部によって検出された前記押圧力の強弱に応じて前記少なくとも一方の表示処理における前記変更速度を増減させる測定装置。
【請求項２】
前記表示制御部は、前記表示画像の表示位置を予め決められた第１更新時間が経過する毎に予め決められた移動時間分だけ移動させつつ前記表示部に表示させる処理を前記第１表示処理として実行し、その際に、前記押圧力の強弱に応じて前記第１更新時間および前記移動時間の少なくとも一方を増減することによって前記変更速度を増減させる請求項１記載の測定装置。
【請求項３】
前記表示制御部は、予め決められた第２更新時間が経過する毎に前記設定値を予め決められた増減量で増減しつつ前記表示部に表示させる処理を前記第２表示処理として実行し、その際に、前記押圧力の強弱に応じて前記第２更新時間および前記増減量の少なくとも一方を増減することによって前記変更速度を増減させる請求項１または２記載の測定装置。
【請求項４】
前記表示制御部は、前記押圧力が強いほど前記変更速度を増加させる請求項１から３のいずれかに記載の測定装置。
【請求項５】
前記検出部は、前記操作部として機能して前記接触操作が可能なタッチセンサで構成されている請求項１から４のいずれかに記載の測定装置。
【請求項６】
表示画像の表示位置を表示部の時間軸に沿って予め決められた変更速度で変更しつつ当該表示部に表示させる第１表示処理、および選択可能な設定値を予め決められた変更速度で変更しつつ前記表示部に表示させる第２表示処理の少なくとも一方の表示処理を、操作部の接触面に対して接触体を接触させて行う接触操作に従って実行する表示方法であって、
前記接触操作における前記接触面に対する前記接触体の押圧力を検出し、
前記検出した前記押圧力の強弱に応じて前記少なくとも一方の表示処理における前記変更速度を増減させる表示方法。
【発明の詳細な説明】
【技術分野】
【０００１】
本発明は、表示画像の表示処理や選択可能な設定値を表示する表示処理を実行する測定装置および表示方法に関するものである。
【背景技術】
【０００２】
この種の装置として、特開２００９−２５７９２７号公報に開示された波形観測装置が知られている。この波形観測装置は、計測ユニット、マイコンおよびモニタなどを備え、計測ユニットから送信される計測データに基づく波形チャートをモニタに表示可能に構成されている。また、この波形観測装置では、モニタに表示される三角形の画像（スクロール方向表示）をタッチしたときに、波形チャートが右方向または左方向にスクロール表示される。この場合、三角形の画像をタッチし続けることで、計測データが存在する限りスクロール表示が継続される。また、この波形観測装置では、モニタにおける波形チャートの表示領域において、指先をモニタにタッチさせた状態でｘ軸方向（右向き、または左向き）にスライド操作することで、指先のスライド方向と同じ方向に指先のスライド速度と同じ速度で（つまり、スライド操作に応じて）波形チャートがスクロール表示される。
【先行技術文献】
【特許文献】
【０００３】
【特許文献１】特開２００９−２５７９２７号公報（第４−６頁、第４−５図）
【発明の概要】
【発明が解決しようとする課題】
【０００４】
ところが、上記の波形観測装置には、以下の問題点がある。すなわち、この波形観測装置では、モニタに表示される三角形の画像をタッチしたときに波形チャートがスクロール表示される。この場合、三角形の画像をタッチしたときには、予め決められた一定の速度で波形チャートがスクロール表示される。このため、上記の波形観測装置には、例えば、波形チャートの全体の長さが長く、スクロール表示の際に表示領域内に表示可能な波形チャートの長さが全体の長さに比べて短いときには、波形チャートの全体の中から所望の部分を探すのに時間を要することとなったり、これとは逆に、波形チャートの全体の長さが短いときには、三角形の画像を僅かな時間タッチしただけで所望の部分を通り越してしまうという問題点がある。また、上記の波形観測装置では、指先をモニタにタッチさせた状態でｘ軸方向にスライド操作したときに波形チャートがスクロール表示される。このため、この波形観測装置には、波形チャートの全体の長さが長いときには、指先をモニタの左側にタッチさせて左側から右端部まで指をスライドさせる動作を何回も繰り返す必要があって操作性が悪く、また、このような操作では、指先をモニタから離す度にスクロール表示が中断されて、波形チャートが連続してスムーズにスクロール表示されないため、波形チャートによって示される波形の経時変化を把握し難いという問題点もある。
【０００５】
本発明は、かかる問題点に鑑みてなされたものであり、表示画像の表示位置や選択可能な設定値を変更しつつ表示させる際の操作性を向上し得る測定装置および表示方法を提供することを主目的とする。
【課題を解決するための手段】
【０００６】
上記目的を達成すべく請求項１記載の測定装置は、接触面に対して接触体を接触させて行う接触操作が可能な操作部と、表示画像の表示位置を表示部の時間軸に沿って予め決められた変更速度で変更しつつ当該表示部に表示させる第１表示処理、および選択可能な設定値を予め決められた変更速度で変更しつつ前記表示部に表示させる第２表示処理の少なくとも一方の表示処理を前記接触操作に従って実行する表示制御部とを備えた測定装置であって、前記接触操作における前記接触面に対する前記接触体の押圧力を検出する検出部を備え、前記表示制御部は、前記検出部によって検出された前記押圧力の強弱に応じて前記少なくとも一方の表示処理における前記変更速度を増減させる。
【０００７】
また、請求項２記載の測定装置は、請求項１記載の測定装置において、前記表示制御部は、前記表示画像の表示位置を予め決められた第１更新時間が経過する毎に予め決められた移動時間分だけ移動させつつ前記表示部に表示させる処理を前記第１表示処理として実行し、その際に、前記押圧力の強弱に応じて前記第１更新時間および前記時間の少なくとも一方を増減することによって前記変更速度を増減させる。
【０００８】
また、請求項３記載の測定装置は、請求項１または２記載の測定装置において、前記表示制御部は、予め決められた第２更新時間が経過する毎に前記設定値を予め決められた増減量で増減しつつ前記表示部に表示させる処理を前記第２表示処理として実行し、その際に、前記押圧力の強弱に応じて前記第２更新時間および前記増減量の少なくとも一方を増減することによって前記変更速度を増減させる。
【０００９】
また、請求項４記載の測定装置は、請求項１から３のいずれかに記載の測定装置において、前記表示制御部は、前記押圧力が強いほど前記変更速度を増加させる。
【００１０】
また、請求項５記載の測定装置は、請求項１から４のいずれかに記載の測定装置において、前記検出部は、前記操作部として機能して前記接触操作が可能なタッチセンサで構成されている。
【００１１】
また、請求項６記載の表示方法は、表示画像の表示位置を表示部の時間軸に沿って予め決められた変更速度で変更しつつ当該表示部に表示させる第１表示処理、および選択可能な設定値を予め決められた変更速度で変更しつつ前記表示部に表示させる第２表示処理の少なくとも一方の表示処理を、操作部の接触面に対して接触体を接触させて行う接触操作に従って実行する表示方法であって、前記接触操作における前記接触面に対する前記接触体の押圧力を検出し、前記検出した前記押圧力の強弱に応じて前記少なくとも一方の表示処理における前記変更速度を増減させる。
【発明の効果】
【００１２】
請求項１記載の測定装置、および請求項６記載の表示方法では、接触面に対する接触体の押圧力の強弱に応じて第１表示処理および第２表示処理の少なくとも一方における表示位置や設定値の変更速度を増減させる。このため、この測定装置および表示方法では、押圧力を強めることで、例えば、記録時間が長い波形信号の波形を表示させる場合においても、全体の中の所望の部分を短時間で表示させることができ、また、所望の部分に近づいた時点で押圧力を弱めることで、所望の部分を確実に表示させることができる。また、同様にして、押圧力を強めることで、所望の設定値を短時間で表示させることができ、また、所望の設定値に近い設定値が表示された時点で押圧力を弱めることで、所望の設定値を確実に表示させることができる。したがって、この測定装置および表示方法によれば、このような表示形態での表示を行わせる際の操作性を十分に向上させることができる。
【００１３】
また、請求項２記載の測定装置では、表示画像の表示位置を予め決められた第１更新時間が経過する毎に予め決められた移動時間分だけ移動させつつ表示部に表示させる処理を第１表示処理として実行し、その際に、接触面に対する接触体の押圧力の強弱に応じて第１更新時間および移動時間を増減することによって変更速度を増減させる。このため、この測定装置では、第１更新時間や移動時間を増減するという簡易な処理でありながら表示画像の表示位置を変更しつつ表示する際の変更速度を正確に増減させることができる。
【００１４】
また、請求項３記載の測定装置では、設定値を予め決められた第２更新時間が経過する毎に予め決められた増減量で増減しつつ表示部に表示させる処理を第２表示処理として実行し、その際に、接触面に対する接触体の押圧力の強弱に応じて第２更新時間および設定値の増減量を増減する。このため、この測定装置では、第２更新時間や設定値の増減量を増減するという簡易な処理でありながら設定値を変更しつつ表示する際の変更速度を正確にしかも短時間で増減させることができる。
【００１５】
また、請求項４記載の測定装置では、接触面に対する接触体の押圧力が強いほど変更速度を増加させる。つまり、この測定装置では、速度を増加させたいときには強く、速度を減少（低下）させたいときには弱くというように、速度を増減させる際に一般的に行われる操作感覚と同様の操作感覚で変更速度を増減させることもできる。このため、この測定装置によれば、第１表示処理や第２表示処理における操作性をさらに向上させることができる。
【００１６】
また、請求項５記載の測定装置では、操作部として機能して接触操作が可能なタッチセンサで検出部が構成されている。つまり、操作部として機能するタッチセンサが、接触面に対する接触体の押圧力を検出する。このため、この測定装置によれば、タッチセンサとは別の検出部を設ける構成と比較して、測定装置を簡易に構成することができる。
【図面の簡単な説明】
【００１７】
【図１】波形表示装置１の正面図である。
【図２】波形表示装置１の構成を示す構成図である。
【図３】アップダウン表示処理を説明する説明図である。
【図４】押圧力のレベルとサンプリング周波数の増減量との関係を示す関係図である。
【図５】押圧力のレベルと更新時間との関係を示す関係図である。
【図６】押圧力のレベルと記録時間の増減量との関係を示す関係図である。
【図７】スクロール表示処理を説明する第１の説明図である。
【図８】押圧力のレベルと移動時間との関係を示す関係図である。
【図９】スクロール表示処理を説明する第２の説明図である。
【図１０】スクロール表示処理を説明する第３の説明図である。
【発明を実施するための形態】
【００１８】
以下、測定装置および表示方法の実施の形態について、添付図面を参照して説明する。
【００１９】
最初に、測定装置の一例としての波形表示装置１の構成について、図面を参照して説明する。図１に示す波形表示装置１は、同図および図２に示すように、信号処理部１１、記録部１２、表示部１３、操作部１４および制御部１５を備え、入力した波形信号Ｓｅ（例えば、電圧信号）の全体波形Ｗ１（図１参照）および部分波形Ｗ２（図７参照：以下、全体波形Ｗ１および部分波形Ｗ２を区別しないときには「波形Ｗ」ともいう）、並びにカーソルラインＬ（同図参照）を表示可能に構成されている。なお、全体波形Ｗ１、部分波形Ｗ２およびカーソルラインＬが表示画像の一例に相当する。
【００２０】
信号処理部１１は、制御部１５の制御に従い、波形信号Ｓｅを入力して信号処理（サンプリング処理）を行い、波形データＤｗを出力する（図２参照）。記録部１２は、制御部１５の制御に従い、信号処理部１１から出力された波形データＤｗを記録する。表示部１３は、一例として、液晶パネルで構成されて、制御部１５の制御に従って各種の画像を表示する。具体的には、表示部１３は、図３に示すように、波形信号Ｓｅの記録などに必要な各種の設定値を設定するための設定画面Ｇｓを表示する。また、表示部１３は、図１，７に示すように、全体波形Ｗ１、部分波形Ｗ２およびスクロールバーＢａを表示する。
【００２１】
操作部１４は、図１に示すように、電源スイッチ２１、モード切替えキー２２、設定キー２３、記録開始キー２４、全波形表示キー２５および部分波形表示キー２６を備えて構成されて、これらに対する操作が行われたときに操作信号を出力する。
【００２２】
また、操作部１４は、タッチセンサ２７を備えている。タッチセンサ２７は、一例として、抵抗膜方式のタッチセンサであって、図１に示すように、表示部１３の表面側に配設されている。また、タッチセンサ２７は、接触面２７ａに対して接触体の一例としての指先５０（図３参照）を接触させて行う接触操作が可能に構成され、接触操作がされたときに電気信号Ｓｏを出力する（図２参照）。この場合、タッチセンサ２７は、接触操作において指先５０が接触面２７ａを押圧する押圧力に応じたレベルの電気信号Ｓｏを出力する。つまり、タッチセンサ２７は、接触面２７ａに対する指先５０の押圧力を検出する検出部として機能する。言い換えると、この波形表示装置１では、操作部１４の一部として機能して接触操作が可能なタッチセンサ２７で検出部が構成されている。
【００２３】
制御部１５は、操作部１４から出力される操作信号に従って波形表示装置１を構成する各部に対する制御や、各種の処理を実行する。具体的には、制御部１５は、信号処理部１１による信号処理を制御すると共に、記録部１２への波形データＤｗの記録や、記録部１２からの波形データＤｗの読み出しを行う。
【００２４】
また、制御部１５は、表示制御部として機能し、設定画面Ｇｓ、全体波形Ｗ１、部分波形Ｗ２、スクロールバーＢａなどを表示部１３に表示させる（図１，３，７参照）。この場合、制御部１５は、タッチセンサ２７の接触面２７ａに対する接触操作に応じてタッチセンサ２７から出力される電気信号Ｓｏに従い、部分波形Ｗ２の表示位置（表示部１３に表示する位置）を予め決められた変更速度で変更しつつ表示部１３に表示させる第１表示処理を実行する。なお、以下の説明において、第１表示処理を「スクロール表示処理」ともいい、スクロール表示処理による表示形態を「スクロール表示」ともいう。
【００２５】
また、制御部１５は、上記した接触操作に応じてタッチセンサ２７から出力される電気信号Ｓｏに従い、接触操作によって選択可能な設定値（波形信号Ｓｅの記録などに必要な設定値）を予め決められた変更速度で変更しつつ表示部１３の設定画面Ｇｓに表示させる第２表示処理を実行する。なお、以下の説明において、第２表示処理を「アップダウン表示処理」ともいい、アップダウン表示処理による表示形態を「アップダウン表示」ともいう。
【００２６】
また制御部１５は、操作部１４のタッチセンサ２７から出力される電気信号Ｓｏに基づいて接触面２７ａに対する指先５０の押圧力の強弱を特定し、その押圧力の強弱に応じて、上記したスクロール表示処理およびアップダウン表示処理における変更速度を増減させる。
【００２７】
具体的には、制御部１５は、スクロール表示処理において、部分波形Ｗ２の表示位置を予め決められた更新時間（第１更新時間）が経過する毎に予め決められた時間（以下、この時間を「移動時間」ともいう）の分だけ移動させつつ表示部１３に表示させる処理を実行し、その際に、押圧力の強弱に応じて更新時間および移動時間の少なくとも一方を増減することによって変更速度を増減させる。
【００２８】
また、制御部１５は、アップダウン表示処理において、予め決められた更新時間（第２更新時間）が経過する毎に設定値を予め決められた増減量で増減しつつ表示部１３に表示させる処理を実行し、その際に、押圧力の強弱に応じて更新時間および設定値の増減量の少なくとも一方を増減することによって変更速度を増減させる。
【００２９】
次に、波形表示装置１を用いて波形信号Ｓｅを記録し、記録した波形信号Ｓｅの波形Ｗを表示させる表示方法、およびその際の波形表示装置１の動作について、図面を参照して説明する。なお、指先５０での接触操作は、実際には、タッチセンサ２７の接触面２７ａ（表示部１３に表示されている画像に対向する接触面２７ａ上の各位置）に対して行うが、発明の理解を容易とするため、以下の説明においては、この点の記載を省略する。
【００３０】
まず、操作部１４のモード切替えキー２２（図１参照）を操作して、波形表示装置１を記録モードに切り替え、次いで、操作部１４の設定キー２３を操作する。この際に、制御部１５が、操作部１４から出力された操作信号に従い、図３に示すように、設定画面Ｇｓを表示部１３に表示させる。この場合、設定画面Ｇｓは、波形信号Ｓｅを記録するのに必要な各種の設定値を設定（選択して入力）するための画面であって、同図に示すように、各設定値の種類毎に、選択可能な設定値がアップダウン表示されるようになっている。なお、この波形表示装置１では、同図に示すように、設定値の一例として、信号処理部１１によって行われる波形信号Ｓｅを波形データＤｗに変換するサンプリング処理の際のサンプリング周波数、および波形信号Ｓｅを記録する際の記録時間が、設定画面Ｇｓにおける表示枠Ａ１，Ａ２にそれぞれアップダウン表示される。
【００３１】
続いて、操作部１４を操作して、設定値としてのサンプリング周波数および記録時間を設定する。サンプリング周波数を設定する際には、図３に示すように、サンプリング周波数を表示する表示枠Ａ１の左右に表示されているアップボタンＭｕ１（上向きの三角のマーク）またはダウンボタンＭｄ１（下向きの三角のマーク）に対して指先５０を接触（押圧）させる（接触操作をする）。
【００３２】
この際に、制御部１５は、タッチセンサ２７から出力される電気信号Ｓｏに基づいてアップボタンＭｕ１またはダウンボタンＭｄ１に対して接触操作がされたことを判別して、アップダウン表示処理（第２表示処理）を実行する。このアップダウン表示処理では、制御部１５は、接触操作によって選択可能な（つまり、信号処理部１１によって実行可能な）サンプリング周波数を、予め決められた変更速度で変更しつつ表示枠Ａ１にアップダウン表示させる。
【００３３】
また、制御部１５は、アップダウン表示処理において、予め決められた更新時間（第２更新時間）が経過する毎に予め決められた増減量で増減しつつ、サンプリング周波数を表示部１３に表示させる処理を実行する。また、制御部１５は、その際に、操作部１４のタッチセンサ２７から出力される電気信号Ｓｏに基づいて接触面２７ａに対する指先５０の押圧力を特定し、押圧力の強弱に応じて更新時間およびサンプリング周波数の増減量の少なくとも一方を増減することによって変更速度を増減させる。この例では、制御部１５は、押圧力の強弱に応じてサンプリング周波数の更新時間およびサンプリング周波数の増減量の双方を増減することによって変更速度を増減させる。
【００３４】
具体的には、制御部１５は、一例として、特定した押圧力が、予め決められた４段階のレベル（図４，５に示すレベル１〜レベル４）のうちのいずれのレベルであるかを判別し、各レベルに対してそれぞれ規定されたサンプリング周波数の増減量（図４参照）、およびアップダウン表示処理における更新時間（第２更新時間：図５参照）を特定する。この場合、図３に示すように、例えば、アップボタンＭｕ１に対して指先５０が接触されて、そのときの押圧力が「レベル１」のときには、制御部１５は、増減量を「１Ｈｚ」と特定すると共に、更新時間を「１００ｍｓ（０．１秒）」と特定する。
【００３５】
次いで、制御部１５は、特定した更新時間（１００ｍｓ）が経過する毎に、特定した増減量（１Ｈｚ）で増加しつつ、サンプリング周波数を表示枠Ａ１に表示させる。つまり、サンプリング周波数が、１００ｍｓ毎に１Ｈｚずつ増加するように表示される。
【００３６】
続いて、変更速度を増加させるときには、接触面２７ａに対する指先５０の押圧力を強める。この場合、指先５０の押圧力が「レベル１」から「レベル２」となったときには、制御部１５は、増減量を「１０Ｈｚ」と特定すると共に、更新時間を「２０ｍｓ」と特定し（図４，５参照）、更新時間（２０ｍｓ）が経過する毎に増減量（１０Ｈｚ）で増加しつつサンプリング周波数を表示枠Ａ１に表示させる。これにより、サンプリング周波数が、２０ｍｓ毎に１０Ｈｚずつ増加するように表示される。
【００３７】
また、接触面２７ａに対する指先５０の押圧力をさらに強め、押圧力が「レベル３」となったときには、制御部１５は、レベル３に対応する更新時間（１０ｍｓ）が経過する毎にレベル３に対応する増減量（１００Ｈｚ）で増加しつつサンプリング周波数を表示枠Ａ１に表示させる。同様にして、押圧力が「レベル４」となったときには、制御部１５は、レベル４に対応する更新時間（１ｍｓ）が経過する毎にレベル４に対応する増減量（１ｋＨｚ）で増加しつつサンプリング周波数を表示枠Ａ１に表示させる。
【００３８】
上記したように、この波形表示装置１では、接触面２７ａに対する指先５０の押圧力を強めることで、変更速度が増加するため、所望のサンプリング周波数を短時間で表示させることが可能となっている。また、この波形表示装置１では、接触面２７ａに対する指先５０の押圧力を弱めることで、変更速度が減少（低下）する。このため、例えば、所望の値に近い値が表示されるまでは押圧力を強めてサンプリング周波数を速い変更速度でアップダウン表示させ、所望の値に近い値が表示された時点で押圧力を弱めてサンプリング周波数をゆっくりとした変更速度でアップダウン表示させることで、所望の値を確実に表示させることが可能となっている。
【００３９】
また、制御部１５は、ダウンボタンＭｄ１（図３参照）に対して指先５０による接触（押圧）がされたときには、予め決められた更新時間が経過する毎に予め決められた増減量で減少させつつサンプリング周波数を表示部１３に表示させる。この場合においても、制御部１５は、上記した処理と同様の処理を実行し、これによって接触面２７ａに対する指先５０の押圧力に応じて変更速度が増減する。次いで、表示枠Ａ１に表示されたサンプリング周波数が所望の値となった時点で、アップボタンＭｕ１およびダウンボタンＭｄ１に対する指先５０の接触を解除する。
【００４０】
続いて、記録時間を設定する。この際には、記録時間を表示する表示枠Ａ２（図３参照）の左右に表示されているアップボタンＭｕ２またはダウンボタンＭｄ２に対して指先５０を接触させる。この際に、制御部１５が、上記したアップダウン表示処理を実行し、これによって上記したサンプリング周波数のアップダウン表示と同様にして、記録時間がアップダウン表示される。この場合、制御部１５は、指先５０の押圧力に応じて記録時間の増減量を特定すると共に（図６参照）、指先５０の押圧力に応じて上記した更新時間（第２更新時間：図５参照）を特定する。次いで、表示枠Ａ２に表示された記録時間が所望の値となった時点で、アップボタンＭｕ１およびダウンボタンＭｄ１に対する指先５０の接触を解除する。続いて、操作部１４の設定キー２３を操作する。この際に、制御部１５は、操作部１４から出力された操作信号に従い、設定画面Ｇｓの各表示枠Ａ１，Ａ２にそれぞれ表示されているサンプリング周波数および記録時間を設定された値（設定値）として図外のメモリに記憶する。以上により、サンプリング周波数および記録時間の設定が終了する。
【００４１】
次いで、操作部１４の記録開始キー２４（図１参照）を操作する。この際に、制御部１５が、操作部１４から出力された電気信号Ｓｏに従って信号処理部１１に対して信号処理を実行させる。この信号処理では、信号処理部１１は、入力した波形信号Ｓｅを上記のように設定したサンプリング周波数でサンプリング処理して、波形データＤｗを出力する。
【００４２】
また、制御部１５は、信号処理部１１から出力された波形データＤｗの記録部１２への記録を開始し、上記のように設定した記録時間が経過するまでこの記録を継続する。続いて、制御部１５は、記録時間が経過した時点で波形データＤｗの記録を終了すると共に、信号処理部１１に対して信号処理を停止させる。
【００４３】
次に、記録部１２に記録した波形データＤｗに基づく波形信号Ｓｅの波形Ｗを表示させる。具体的には、操作部１４のモード切替えキー２２（図１参照）を操作して、波形表示装置１を波形表示モードに切り替える。次いで、例えば、記録開始時点から記録終了時点に亘る波形データＤｗに基づく波形信号Ｓｅの全体波形Ｗ１を表示部１３に表示させる際には、操作部１４の全波形表示キー２５（同図参照）を操作する。この際に、制御部１５は、操作部１４から出力された電気信号Ｓｏに従って全波形表示処理を実行する。この全波形表示処理では、制御部１５は、記録部１２から波形データＤｗを読み出す。続いて、制御部１５は、表示部１３を制御して、同図に示すように、波形データＤｗに基づく全体波形Ｗ１を表示させる。
【００４４】
次いで、全体波形Ｗ１の一部を拡大した部分波形Ｗ２を表示させる際には、操作部１４の部分波形表示キー２６（図１参照）を操作する。この際に、制御部１５は、操作部１４から出力された操作信号に従って部分波形表示処理を実行する。この部分波形表示処理では、制御部１５は、表示部１３を制御して、図７に示すように、記録開始時点から予め決められた時間分の波形データＤｗに基づく部分波形Ｗ２を表示させる。また、制御部１５は、部分波形表示処理において、同図に示すように、スクロールバーＢａを表示させると共に、スクロールバーＢａ内にスクロールボックスＢｂを表示させる。
【００４５】
次に、タッチセンサ２７の接触面２７ａに対する接触操作によって表示部１３の横方向（時間軸）に沿った部分波形Ｗ２のスクロール表示を行わせる方法について説明する。なお、この波形表示装置１では、一例として、アップダウン表示処理において用いた更新時間（第２更新時間）と以下に説明するスクロール表示処理において用いる更新時間（第１更新時間）とが同じ値に規定されているが、アップダウン表示処理第１更新時間と第２更新時間とを異なる値に規定してもよい。
【００４６】
スクロール表示を行わせるには、図７に示すように、表示部１３に表示されているスクロールバーＢａの両端に表示されている順送りボタンＭｆ１（右向きの三角のマーク）または逆送りボタンＭｒ１（左向きの三角のマーク）に対して指先５０を接触（押圧）させる（接触操作をする）。
【００４７】
この際に、制御部１５は、タッチセンサ２７から出力される電気信号Ｓｏに基づいて順送りボタンＭｆ１または逆送りボタンＭｒ１に対して接触操作がされたことを判別して、スクロール表示処理（第１表示処理）を実行する。このスクロール表示処理では、制御部１５は、部分波形Ｗ２の表示位置（表示部１３に表示する位置）を、予め決められた変更速度で変更しつつ表示部１３に表示させる。つまり、部分波形Ｗ２を、時間軸に沿って（図７における左右方向に沿って）スクロール表示させる。
【００４８】
また、制御部１５は、スクロール表示処理において、部分波形Ｗ２の表示位置を、予め決められた更新時間（第１更新時間）が経過する毎に予め決められた移動時間分だけ移動させつつ表示部１３に表示させる処理を実行する。また、制御部１５は、その際に、操作部１４のタッチセンサ２７から出力される電気信号Ｓｏに基づいて接触面２７ａに対する指先５０の押圧力を特定し、押圧力の強弱に応じて更新時間および移動時間の少なくとも一方を増減することによって変更速度を増減させる。この例では、制御部１５は、押圧力の強弱に応じて更新時間および移動時間の双方を増減することによって変更速度を増減させる。
【００４９】
具体的には、制御部１５は、一例として、特定した押圧力が、予め決められた４段階のレベル（図５，８に示すレベル１〜レベル１）のうちのいずれのレベルであるかを判別し、各レベルに対してそれぞれ規定された移動時間（図８参照）、および更新時間（図５参照）を特定する。この場合、図７に示すように、例えば、順送りボタンＭｆ１に対して指先５０が接触されて、そのときの押圧力が「レベル１」のときには、制御部１５は、移動時間を「１ｍｉｎ（１分）」と特定すると共に、更新時間を「１００ｍｓ（０．１秒）」と特定する。
【００５０】
続いて、制御部１５は、特定した更新時間（１００ｍｓ）が経過する毎に、特定した移動時間（１ｍｉｎ）の分だけ部分波形Ｗ２の表示位置を移動時間軸に沿って（この例では、時間が経過する向きに）移動させつつ表示部１３に表示させる。つまり、図９に示すように、部分波形Ｗ２が左向き（同図に示す矢印の向き）に１００ｍｓ毎に１ｍｉｎに相当する分ずつ移動するようにスクロール表示される。また、同図に示すように、部分波形Ｗ２のスクロール表示に連動して、スクロールバーＢａ内においてスクロールボックスＢｂが同図に矢印で示す向きで移動する。
【００５１】
次いで、変更速度を増加させるときには、接触面２７ａに対する指先５０の押圧力を強める。この場合、指先５０の押圧力が「レベル１」から「レベル２」となったときには、制御部１５は、移動時間を「１０ｍｉｎ」と特定すると共に、更新時間を「２０ｍｓ」と特定し（図８，５参照）、更新時間（２０ｍｓ）が経過する毎に移動時間（１０ｍｉｎ）の分だけ部分波形Ｗ２の表示位置を移動時間軸に沿って移動させつつ表示部１３に表示させる。つまり、部分波形Ｗ２が左向きに２０ｍｓ毎に１０ｍｉｎに相当する分ずつ移動するようにスクロール表示される。
【００５２】
また、接触面２７ａに対する指先５０の押圧力をさらに強め、押圧力が「レベル３」となったときには、制御部１５は、レベル３に対応する更新時間（１０ｍｓ）が経過する毎にレベル３に対応する移動時間（１ｈ）の分だけ部分波形Ｗ２の表示位置を移動時間軸に沿って移動させつつ表示部１３に表示させる。同様にして、押圧力が「レベル４」となったときには、制御部１５は、レベル４に対応する更新時間（１ｍｓ）が経過する毎にレベル４に対応する移動時間（１０ｈ）の分だけ部分波形Ｗ２の表示位置を移動時間軸に沿って移動させつつ表示部１３に表示させる。
【００５３】
上記したように、この波形表示装置１では、接触面２７ａに対する指先５０の押圧力を強めることで、変更速度が増加するため、例えば、全体波形Ｗ１の長さ（波形信号Ｓｅの記録時間）が長い場合においても、所望の部分波形Ｗ２を短時間で表示させることが可能となっている。また、この波形表示装置１では、接触面２７ａに対する指先５０の押圧力を弱めることで、変更速度が減少（低下）する。このため、例えば、所望の部分に近づくまでは押圧力を強めて部分波形Ｗ２を速い変更速度でスクロール表示させ、所望の部分に近づいた時点で押圧力を弱めて部分波形Ｗ２をゆっくりとした変更速度でスクロール表示させることで、所望の部分波形Ｗ２を確実にしかも短時間で表示させることが可能となっている。また、この波形表示装置１では、接触面２７ａに対する指先５０の接触（押圧）を継続することで、部分波形Ｗ２が連続的にスクロール表示されるため、波形Ｗの変化を正確に把握することが可能となっている。
【００５４】
また、制御部１５は、逆送りボタンＭｒ１（図９参照）に対して指先５０による接触（押圧）がされたときには、予め決められた更新時間が経過する毎に予め決められた移動時間の分だけ、部分波形Ｗ２の表示位置を時間を遡る向きに移動させつつ表示部１３に表示させる。つまり、同図における右向きに部分波形Ｗ２がスクロール表示される。この場合においても、制御部１５は、順送りボタンＭｆ１に対して指先５０が接触されたときの上記した処理と同様の処理を実行し、これによって接触面２７ａに対する指先５０の押圧力に応じてスクロール表示における変更速度が増減する。
【００５５】
また、この波形表示装置１では、図１０に示すように、カーソルラインＬを部分波形Ｗ２と共に表示部１３に表示させ、そのカーソルラインＬを時間軸に沿って（左右方向に）任意に移動させることが可能となっている。この場合、カーソルラインＬは、部分波形Ｗ２との交点における値（波形信号Ｓｅのパラメータ値であって、この例では、電圧値）を表示させるために用いる（電圧値の表示の図示は省略する）。
【００５６】
カーソルラインＬを移動させる際には、図１０に示すように、表示部１３に表示されている順送りボタンＭｆ２または逆送りボタンＭｒ２に対して指先５０を接触させる。この際に、制御部１５が、上記したスクロール表示処理を実行し、これによって上記した部分波形Ｗ２のスクロール表示と同様にして、カーソルラインＬがスクロール表示される。この場合、制御部１５は、指先５０の押圧力に応じて移動時間（１回の更新で時間軸に沿って移動させる時間の長さ）を増減すると共に（図８参照）、指先５０の押圧力に応じて上記した更新時間（図５参照）を増減する、これにより、スクロール表示処理における変更速度、つまりカーソルラインＬの移動速度が増減する。
【００５７】
このように、この波形表示装置１および表示方法では、接触面２７ａに対する指先５０の押圧力の強弱に応じて第１表示処理（スクロール表示処理）および第２表示処理（アップダウン表示処理）における変更速度を増減させる。このため、この波形表示装置１および表示方法では、押圧力を強めることで、例えば、記録時間が長い波形信号Ｓｅの波形Ｗを表示させる場合においても、全体の中の所望の部分（部分波形Ｗ２）を短時間で表示させることができ、また、所望の部分に近づいた時点で押圧力を弱めることで、所望の部分を確実に表示させることができる。また、同様にして、押圧力を強めることで、所望の設定値を短時間で表示させることができ、また、所望の設定値に近い設定値が表示された時点で押圧力を弱めることで、所望の設定値を確実に表示させることができる。したがって、この波形表示装置１および表示方法によれば、このような表示形態での表示を行わせる際の操作性を十分に向上させることができる。
【００５８】
また、この波形表示装置１および表示方法では、表示画像としての部分波形Ｗ２およびカーソルラインＬの表示位置を予め決められた第１更新時間が経過する毎に予め決められた移動時間分だけ移動させつつ表示部１３に表示させる処理（スクロール表示処理）を第１表示処理として実行し、その際に、接触面２７ａに対する指先５０の押圧力の強弱に応じて第１更新時間および移動時間を増減することによって変更速度を増減させる。このため、この波形表示装置１および表示方法では、第１更新時間や移動時間を増減するという簡易な処理でありながら部分波形Ｗ２およびカーソルラインＬの表示位置を変更しつつ表示する際の変更速度を正確に増減させることができる。
【００５９】
また、この波形表示装置１および表示方法では、設定値としてのサンプリング周波数および記録時間を予め決められた第２更新時間が経過する毎に予め決められた増減量で増減しつつ表示部１３に表示させる処理（アップダウン表示処理）を第２表示処理として実行し、その際に、接触面２７ａに対する指先５０の押圧力の強弱に応じて第２更新時間および設定値の増減量を増減する。このため、この波形表示装置１および表示方法では、第２更新時間や設定値の増減量を増減するという簡易な処理でありながら設定値を変更しつつ表示する際の変更速度を正確にしかも短時間で増減させることができる。
【００６０】
また、この波形表示装置１および表示方法では、接触面２７ａに対する指先５０の押圧力が強いほど変更速度を増加させる。つまり、この波形表示装置１および表示方法では、速度を増加させたいときには強く、速度を減少（低下）させたいときには弱くというように、速度を増減させる際に一般的に行われる操作感覚と同様の操作感覚で変更速度を増減させることもできる。このため、この波形表示装置１および表示方法によれば、スクロール表示やアップダウン表示における操作性をさらに向上させることができる。
【００６１】
また、この波形表示装置１および表示方法では、操作部１４の一部として機能して接触操作が可能なタッチセンサ２７で接触面２７ａに対する指先５０の押圧力を検出する。このため、この波形表示装置１および表示方法によれば、接触操作が可能なタッチセンサ２７（操作部）とは別の検出部を用いる構成と比較して、波形表示装置１を簡易に構成することができる。
【００６２】
なお、測定装置および表示方法は、上記の構成および方法に限定されない。例えば、第１表示処理としてのスクロール表示処理、および第２表示処理としてのアップダウン表示処理の双方を実行し、各表示処理において押圧力の強弱に応じて変更速度を増減させる構成および方法について上記したが、第１表示処理および第２表示処理のいずれか一方においてのみ押圧力の強弱に応じて変更速度を増減させる構成および方法を採用することもできる。
【００６３】
また、第１表示処理（スクロール表示処理）において、第１更新時間（表示画像を移動させる処理の間隔）、および１回の更新で移動させる移動時間の双方を、押圧力の強弱に応じて増減する例について上記したが、第１更新時間および移動時間の一方だけを押圧力の強弱に応じて増減する構成および方法を採用することもできる。また、第２表示処理（アップダウン表示処理）において、第２更新時間（設定値を増減させる処理の間隔）、および１回の更新で増減させる設定値（上記例では、サンプリング周波数および記録時間）の増減量の双方を、押圧力の強弱に応じて増減する例について上記したが、第２更新時間および増減量の一方だけを押圧力の強弱に応じて増減する構成および方法を採用することもできる。
【００６４】
また、第１表示処理（スクロール表示処理）において、押圧力が強いほど第１更新時間を短くし、押圧力が強いほど移動時間を長くする構成および方法について上記したが、第１更新時間を短くするのと同時に移動時間を長くしたときには、変更速度が急激に増加して視認性が低下する場合がある。このため、第１表示処理において、例えば、押圧力が強くなった（例えば、上記したように押圧力のレベルが１段階大きくなった）ときには、移動時間を長くし、第１更新時間については変更しないか、または上記した例とは逆に長くして、全体としては、押圧力が大きいほど変更速度を増加させる構成および方法を採用することができる。このような構成および方法を採用することで、押圧力が大きいほど変更速度を増加させるという機能を維持しつつ、変更速度の急激な増加による視認性の低下を確実に防止することができる。この場合、押圧力が強くなったときには、第１更新時間を短くし、移動時間については変更しないか、または短くして、全体としては、押圧力が大きいほど変更速度を増加させる構成および方法を採用することもできる。
【００６５】
同様に、第２表示処理（アップダウン表示処理）において、例えば、押圧力が強くなったときには、設定値の増減量を大きくし、第２更新時間については変更しないか、または上記した例とは逆に長くして、全体としては、押圧力が大きいほど変更速度を増加させる構成および方法を採用することもできる。また、押圧力が強くなったときには、第２更新時間を短くし、設定値の増減量については変更しないか、または小さくして、全体としては、押圧力が大きいほど変更速度を増加させる構成および方法を採用することもできる。
【００６６】
また、押圧力が強いほど変更速度を増加させる構成および方法について上記したが、これとは逆に、押圧力が強いほど変更速度を減少（低下）させる構成および方法を採用することもできる。
【００６７】
また、タッチセンサ２７を表示部１３に配設した構成例について上記したが、表示部１３の配設位置から離間した位置にタッチセンサ２７を配設する構成を採用することもできる。また、波形表示装置１とは別体のタッチセンサ２７を備えた構成を採用することもできる。この場合、波形表示装置１とは別体のタッチセンサ２７を備えているときには、表示部１３を別体とする構成や、表示部１３を備えていない（つまり、外部の表示部に波形Ｗ等の表示を行わせる）構成を採用することもできる。また、接触体としての指先５０でタッチセンサ２７に対する移動操作を行う例について上記したが、接触体としてのタッチペンなどの入力装置で移動操作を行うこともできる。
【００６８】
また、タッチセンサ２７を、指先５０の押圧力を検出する検出部として用いる構成および方法について上記したが、タッチセンサ２７とは異なる（タッチセンサ２７とは別の）検出部を用いる構成および方法を採用することもできる。一例として、タッチセンサ２７に代えて、指先５０の接触位置を検出する機能のみを有するタッチセンサを備えると共に、指先５０の押圧力を検出する圧力センサ（例えば、ひずみゲージ等）をこのタッチセンサの裏面に配設する構成および方法を採用することができる。
【００６９】
また、波形信号Ｓｅとしての電圧信号の波形Ｗを表示する例について上記したが、電流信号や、温度を示す電気信号など、各種の波形信号Ｓｅの波形を表示する際に適用することができるのは勿論である。また、１つ（１種類）の波形Ｗだけを表示部１３に描画する例について上記したが、２つ（２種類）以上の波形Ｗを表示部１３に同時に描画する構成に本発明を適用することもできる。
【符号の説明】
【００７０】
１  波形表示装置
１３  表示部
１４  操作部
１５  制御部
２７  タッチセンサ
２７ａ  接触面
５０  指先
Ａ１，Ａ２  表示枠
Ｇｓ  設定画面
Ｗ  波形
Ｗ１  全体波形
Ｗ２  部分波形
【図１】
2013024835.tif 000003
【図２】
2013024835.tif 000004
【図３】
2013024835.tif 000005
【図４】
2013024835.tif 000006
【図５】
2013024835.tif 000007
【図６】
2013024835.tif 000008
【図７】
2013024835.tif 000009
【図８】
2013024835.tif 000010
【図９】
2013024835.tif 000011
【図１０】
2013024835.tif 000012